(57)【特許請求の範囲】
【請求項１】
記録素子を備えた記録装置の記録情報管理システムであって、
前記記録装置が、
前記記録素子へのアクセスの不可を示す施錠情報を記憶する施錠情報記憶部と、
前記記録素子からの情報の読み出し要求信号または前記記録素子への情報の書き込み要求信号を仲介する記録素子アクセスインタフェースと、
前記読み出し要求信号または前記書き込み要求信号の取得に基づいて、前記施錠情報記憶部に前記施錠情報が記録されているかを判定し、前記施錠情報記憶部が前記施錠情報を記憶している場合には前記記録素子へのアクセスをアクセス不可と判定するアクセス可否判定部と、
前記施錠情報記憶部への前記施錠情報の書き込みを仲介する施錠専用アクセスインタフェースと、
前記施錠専用アクセスインタフェースを介した前記施錠情報記憶部からの情報の読み出し要求または前記施錠情報記憶部への情報の書き込み要求に基づいて前記施錠情報記憶部から情報を読み出す、または前記施錠情報記憶部へ情報を書き込む記憶情報制御部と、を備え、
施錠端末が、
前記施錠専用アクセスインタフェースを介して前記記憶情報制御部へ電源供給する電源供給部と、
施錠指示の入力に基づいて前記施錠情報を前記施錠専用アクセスインタフェースを介して前記施錠情報記憶部へ書き込む施錠処理部と、
を備えることを特徴とする記録情報管理システム。
【請求項２】
前記施錠端末は、
パスワードを入力するパスワード入力部を備え、
前記施錠処理部は、入力した前記パスワードと前記施錠情報とを含む前記書き込み要求を前記施錠専用アクセスインタフェースを介して前記施錠情報記憶部へ出力する
ことを特徴とする請求項１に記載の記録情報管理システム。
【請求項３】
前記施錠端末は、施錠ボタンおよび開錠ボタンを備え、
前記施錠処理部は、前記開錠ボタンの押下を検出し、さらに前記パスワードの入力を受け付けて、当該パスワードが前記記録装置の施錠情報記憶部に記録されているパスワードと一致すると判定した場合に、前記記録装置へ開錠情報を送信し、
前記記憶情報制御部は、前記開錠情報を受信した場合に前記施錠情報記憶部に記録されている施錠情報の削除を行う
ことを特徴とする請求項２に記載の記録情報管理システム。
【請求項４】
前記記録装置の記憶情報制御部は、前記開錠情報を受信した場合に前記施錠情報記憶部に記録されている施錠情報の削除を行うと共に、開錠情報を前記記録装置の施錠情報記憶部に書き込み、
前記記録装置のアクセス可否判定部は、前記読み出し要求信号または前記書き込み要求信号の前記記録素子アクセスインタフェースからの取得に基づいて、前記施錠情報記憶部に前記施錠情報または前記開錠情報のいずれが記録されているかを判定し、前記施錠情報記憶部が前記開錠情報を記憶している場合には前記記録素子へのアクセスをアクセス可と判定する
ことを特徴とする請求項３に記載の記録情報管理システム。
【請求項５】
記録素子を備えた記録装置の記録情報管理システムの記録情報管理方法であって、
前記記録装置の施錠情報記憶部が、前記記録素子へのアクセスの不可を示す施錠情報を記憶し、
前記記録装置の記録素子アクセスインタフェースが、前記記録素子からの情報の読み出し要求信号または前記記録素子への情報の書き込み要求信号を仲介し、
前記記録装置のアクセス可否判定部が、前記読み出し要求信号または前記書き込み要求信号の取得に基づいて、前記施錠情報記憶部に前記施錠情報が記録されているかを判定し、前記施錠情報記憶部が前記施錠情報を記憶している場合には前記記録素子へのアクセスをアクセス不可と判定し、
前記記録装置の施錠専用アクセスインタフェースが、前記施錠情報記憶部への前記施錠情報の書き込みを仲介し、
前記記録装置の記憶情報制御部が、前記施錠専用アクセスインタフェースを介した前記施錠情報記憶部からの情報の読み出し要求または前記施錠情報記憶部への情報の書き込み要求に基づいて前記施錠情報記憶部から情報を読み出す、または前記施錠情報記憶部へ情報を書き込み、
施錠端末の電源供給部が、前記施錠専用アクセスインタフェースを介して前記記憶情報制御部へ電源供給し、
前記施錠端末の施錠処理部が、施錠指示の入力に基づいて前記施錠情報を前記施錠専用アクセスインタフェースを介して前記施錠情報記憶部へ書き込む
ことを特徴とする記録情報管理方法。
【請求項６】
記録素子へのアクセスの不可を示す施錠情報を記憶する施錠情報記憶部と、
前記記録素子からの情報の読み出し要求信号または前記記録素子への情報の書き込み要求信号を仲介する記録素子アクセスインタフェースと、
前記読み出し要求信号または前記書き込み要求信号の取得に基づいて、前記施錠情報記憶部に前記施錠情報が記録されているかを判定し、前記施錠情報記憶部が前記施錠情報を記憶している場合には前記記録素子へのアクセスをアクセス不可と判定するアクセス可否判定部と、
前記施錠情報記憶部の前記施錠情報の書き込みを仲介する施錠専用アクセスインタフェースと、
前記施錠専用アクセスインタフェースを介した前記施錠情報記憶部からの情報の読み出し要求または前記施錠情報記憶部への情報の書き込み要求に基づいて、施錠端末からの前記施錠専用アクセスインタフェースを介した電源供給により、前記施錠情報記憶部から情報を読み出す、または前記施錠情報記憶部へ情報を書き込む記憶情報制御部と、
を備えることを特徴とする記録装置。
【請求項７】
記録素子へのアクセスの不可を示す施錠情報を記憶する施錠情報記憶部と、
前記記録素子からの情報の読み出し要求信号または前記記録素子への情報の書き込み要求信号を仲介する記録素子アクセスインタフェースと、
前記施錠情報記憶部に直接接続され、前記施錠情報記憶部への前記施錠情報の書き込みを仲介する施錠専用アクセスインタフェースと、を備えた記録装置のコンピュータを、
前記読み出し要求信号または前記書き込み要求信号の取得に基づいて、前記施錠情報記憶部に前記施錠情報が記録されているかを判定し、前記施錠情報記憶部が前記施錠情報を記憶している場合には前記記録素子へのアクセスをアクセス不可と判定するアクセス可否判定手段、
前記施錠専用アクセスインタフェースを介した前記施錠情報記憶部からの情報の読み出し要求または前記施錠情報記憶部への情報の書き込み要求に基づいて、施錠端末からの前記施錠専用アクセスインタフェースを介した電源供給により、前記施錠情報記憶部から情報を読み出す、または前記施錠情報記憶部へ情報を書き込む記憶情報制御手段、
として機能させることを特徴とするプログラム。
【発明の詳細な説明】
【技術分野】
【０００１】
本発明は、記録素子に記録された情報の管理を行う記録情報管理システムおよび記録情報管理方法、記録装置とそのプログラムに関する。
【背景技術】
【０００２】
ＰＣ、サーバ、ワークステーションなどの情報処理装置に使用される、ＨＤＤ（Hard Disk Drive）やＳＳＤ（Solid State Drive）などの記録装置は、データ蓄積をするために必要不可欠なデバイスとなっている。ここで、記録装置やその記録装置を備えた情報処理装置の修理や障害調査の際には、当該記録装置や情報処理装置を輸送するケースがあるが、記録装置内に個人情報など重要なデータが記録されている場合、万全なセキュリティ対策を施すことが求められる。
なお、記録装置内に記録されている情報のセキュリティに関連する技術として、記憶装置を備えたデバイスにおいて不正アクセスを防止する技術が特許文献１に開示されている。
【先行技術文献】
【特許文献】
【０００３】
【特許文献１】登録実用新案第３０７１３２７号公報
【発明の概要】
【発明が解決しようとする課題】
【０００４】
ここで、記録装置内の重要なデータのセキュリティ対策としては、予め記録装置内に格納されている情報を暗号化しておき、当該記録装置を他の情報処理装置に接続してもデータを読めないようにする技術が存在する。しかしながら、記録装置や当該記録装置を備えた情報処理装置が故障した後に、記録装置内の情報を暗号化してセキュリティをかけようと考えても、記録装置へアクセスできないことから、既に記録装置や情報処理装置の故障によりセキュリティを施すことが不可能になってしまうという問題がある。
【０００５】
そこでこの発明は、記録装置が故障してしまっている場合でも、当該故障後に、記録装置に記録されている情報のセキュリティの設定を可能とすることのできる記録情報管理システムおよび記録情報管理方法、記録装置とそのプログラムを提供することを目的としている。
【課題を解決するための手段】
【０００６】
上記目的を達成するために、本発明は、記録素子を備えた記録装置の記録情報管理システムであって、前記記録装置が、前記記録素子へのアクセスの不可を示す施錠情報を記憶する施錠情報記憶部と、前記記録素子からの情報の読み出し要求信号または前記記録素子への情報の書き込み要求信号を仲介する記録素子アクセスインタフェースと、前記読み出し要求信号または前記書き込み要求信号の取得に基づいて、前記施錠情報記憶部に前記施錠情報が記録されているかを判定し、前記施錠情報記憶部が前記施錠情報を記憶している場合には前記記録素子へのアクセスをアクセス不可と判定するアクセス可否判定部と、前記施錠情報記憶部への前記施錠情報の書き込みを仲介する施錠専用アクセスインタフェースと、前記施錠専用アクセスインタフェースを介した前記施錠情報記憶部からの情報の読み出し要求または前記施錠情報記憶部への情報の書き込み要求に基づいて前記施錠情報記憶部から情報を読み出す、または前記施錠情報記憶部へ情報を書き込む記憶情報制御部と、を備え、施錠端末が、前記施錠専用アクセスインタフェースを介して前記記憶情報制御部へ電源供給する電源供給部と、施錠指示の入力に基づいて前記施錠情報を前記施錠専用アクセスインタフェースを介して前記施錠情報記憶部へ書き込む施錠処理部と、を備えることを特徴とする記録情報管理システムである。
【０００７】
また本発明は、上述の記録情報管理システムにおいて、前記施錠端末は、パスワードを入力するパスワード入力部を備え、前記施錠処理部は、入力した前記パスワードと前記施錠情報とを含む前記書き込み要求を前記施錠専用アクセスインタフェースを介して前記施錠情報記憶部へ出力することを特徴とする。
【０００８】
また本発明は、上述の記録情報管理システムにおいて、前記施錠端末は、施錠ボタンおよび開錠ボタンを備え、前記施錠処理部は、前記開錠ボタンの押下を検出し、さらに前記パスワードの入力を受け付けて、当該パスワードが前記記録装置の施錠情報記憶部に記録されているパスワードと一致すると判定した場合に、前記記録装置へ開錠情報を送信し、前記記憶情報制御部は、前記開錠情報を受信した場合に前記施錠情報記憶部に記録されている施錠情報の削除を行うことを特徴とする。
【０００９】
また本発明は、上述の記録情報管理システムにおいて、前記記録装置の記憶情報制御部は、前記開錠情報を受信した場合に前記施錠情報記憶部に記録されている施錠情報の削除を行うと共に、開錠情報を前記記録装置の施錠情報記憶部に書き込み、前記記録装置のアクセス可否判定部は、前記読み出し要求信号または前記書き込み要求信号の前記記録素子アクセスインタフェースからの取得に基づいて、前記施錠情報記憶部に前記施錠情報または前記開錠情報のいずれが記録されているかを判定し、前記施錠情報記憶部が前記開錠情報を記憶している場合には前記記録素子へのアクセスをアクセス可と判定することを特徴とする。
【００１０】
また本発明は、記録素子を備えた記録装置の記録情報管理システムの記録情報管理方法であって、前記記録装置の施錠情報記憶部が、前記記録素子へのアクセスの不可を示す施錠情報を記憶し、前記記録装置の記録素子アクセスインタフェースが、前記記録素子からの情報の読み出し要求信号または前記記録素子への情報の書き込み要求信号を仲介し、前記記録装置のアクセス可否判定部が、前記読み出し要求信号または前記書き込み要求信号の取得に基づいて、前記施錠情報記憶部に前記施錠情報が記録されているかを判定し、前記施錠情報記憶部が前記施錠情報を記憶している場合には前記記録素子へのアクセスをアクセス不可と判定し、前記記録装置の施錠専用アクセスインタフェースが、前記施錠情報記憶部への前記施錠情報の書き込みを仲介し、前記記録装置の記憶情報制御部が、前記施錠専用アクセスインタフェースを介した前記施錠情報記憶部からの情報の読み出し要求または前記施錠情報記憶部への情報の書き込み要求に基づいて前記施錠情報記憶部から情報を読み出す、または前記施錠情報記憶部へ情報を書き込み、施錠端末の電源供給部が、前記施錠専用アクセスインタフェースを介して前記記憶情報制御部へ電源供給し、前記施錠端末の施錠処理部が、施錠指示の入力に基づいて前記施錠情報を前記施錠専用アクセスインタフェースを介して前記施錠情報記憶部へ書き込むことを特徴とする記録情報管理方法である。
【００１１】
また本発明は、記録素子へのアクセスの不可を示す施錠情報を記憶する施錠情報記憶部と、前記記録素子からの情報の読み出し要求信号または前記記録素子への情報の書き込み要求信号を仲介する記録素子アクセスインタフェースと、前記読み出し要求信号または前記書き込み要求信号の取得に基づいて、前記施錠情報記憶部に前記施錠情報が記録されているかを判定し、前記施錠情報記憶部が前記施錠情報を記憶している場合には前記記録素子へのアクセスをアクセス不可と判定するアクセス可否判定部と、前記施錠情報記憶部の前記施錠情報の書き込みを仲介する施錠専用アクセスインタフェースと、前記施錠専用アクセスインタフェースを介した前記施錠情報記憶部からの情報の読み出し要求または前記施錠情報記憶部への情報の書き込み要求に基づいて、施錠端末からの前記施錠専用アクセスインタフェースを介した電源供給により、前記施錠情報記憶部から情報を読み出す、または前記施錠情報記憶部へ情報を書き込む記憶情報制御部と、を備えることを特徴とする記録装置である。
【００１２】
また本発明は、記録素子へのアクセスの不可を示す施錠情報を記憶する施錠情報記憶部と、前記記録素子からの情報の読み出し要求信号または前記記録素子への情報の書き込み要求信号を仲介する記録素子アクセスインタフェースと、前記施錠情報記憶部に直接接続され、前記施錠情報記憶部への前記施錠情報の書き込みを仲介する施錠専用アクセスインタフェースと、を備えた記録装置のコンピュータを、前記読み出し要求信号または前記書き込み要求信号の取得に基づいて、前記施錠情報記憶部に前記施錠情報が記録されているかを判定し、前記施錠情報記憶部が前記施錠情報を記憶している場合には前記記録素子へのアクセスをアクセス不可と判定するアクセス可否判定手段、前記施錠専用アクセスインタフェースを介した前記施錠情報記憶部からの情報の読み出し要求または前記施錠情報記憶部への情報の書き込み要求に基づいて、施錠端末からの前記施錠専用アクセスインタフェースを介した電源供給により、前記施錠情報記憶部から情報を読み出す、または前記施錠情報記憶部へ情報を書き込む記憶情報制御手段、として機能させることを特徴とするプログラムである。
【発明の効果】
【００１３】
本発明によれば、記録装置において、施錠情報記憶部,施錠専用アクセスインタフェース，記憶情報制御部が正常であれば、施錠端末により記憶情報制御部に電源供給され、当該施錠端末が直接、施錠情報記憶部に対して施錠情報を登録することができる。これにより、記録装置に記録素子アクセスインタフェースからの記録素子へのアクセスが不可となるような故障が発生したとしても、記録素子に記録された情報のセキュリティの設定を行うことができる。
【図面の簡単な説明】
【００１４】
【図１】記録情報管理システムの機能ブロック図である。
【図２】記録情報管理システムのシステム概観を示す図である。
【図３】記録情報管理システムの処理フローを示す第１の図である。
【図４】記録情報管理システムの処理フローを示す第２の図である。
【図５】記録情報管理システムの処理フローを示す第３の図である。
【発明を実施するための形態】
【００１５】
以下、本発明の一実施形態による記録情報管理システムを図面を参照して説明する。
図１は同実施形態による記録情報管理システムの機能ブロック図である。
この図において、符号１は記録情報管理システムである。この記録情報管理システム１は、記録装置１０と、施錠端末２０からなる。ここで、記録装置１０は、情報を記録する記録素子１１、記録素子１１への情報の書き込みまたは記録素子１１からの情報の読み出しを行うデバイスコントローラ１２、記録素子１１からの情報の読み出し要求信号または記録素子１１への情報の書き込み要求信号を仲介する記録素子アクセスインタフェース１３、記録素子１１へのアクセスが不可であることを記憶する施錠情報等を記憶する施錠情報記憶部１４、施錠情報記憶部１４への施錠情報の書き込みを仲介する施錠専用アクセスインタフェース１５、施錠情報記憶部１４からの情報の読み出し要求または施錠情報記憶部１４への情報の書き込み要求を施錠専用アクセスインタフェース１５を介して施錠端末２０より受け付けて、施錠情報記憶部１４から情報を読み出すまたは施錠情報記憶部１４へ情報を書き込む処理を行う記憶情報制御部１６、を備えている。またデバイスコントローラ１２は、記録素子アクセスインタフェース１３を介した読み出し要求信号または書き込み要求信号の取得に基づいて記録素子１１に記録されている情報のアクセス可否を判定するアクセス可否判定部１２１を備えている。
【００１６】
また施錠端末２０は、内部に記録装置１０の施錠情報記憶部１４へ施錠専用アクセスインタフェース１５を介して施錠情報を登録する施錠処理部２１と、記憶情報制御部１６へ施錠専用アクセスインタフェース１５を介して電源供給する電源供給部２２とを備えている。また、施錠端末２０は、記録装置１０への記録素子アクセスインタフェース１３を介した外部からのアクセスを不可能とする指示を入力するための施錠ボタン２３、記録装置１０への記録素子アクセスインタフェース１３を介した外部からのアクセスを可能となる指示を入力するための開錠ボタン２４、パスワードを入力するためのパスワード入力部２５、入力されたパスワードを表示部する表示部２６を備えている。
【００１７】
図２は記録情報管理システムのシステム概観を示す図である。
図２において符号３０はモバイルＰＣ等の情報処理装置である。そして図１で示す記録装置１０は情報処理装置３０に内蔵されている。または記録装置１０は情報処理装置３０に挿入接続することができるようにしてもよい。そして、施錠端末２０は、情報処理装置３０内に備えられた記録装置１０の施錠専用アクセスインタフェース１５へ専用ケーブル等で接続することができる構成となっている。記録装置１０の記録素子１１に記録されている情報へのアクセスは、情報処理装置３０のＣＰＵ等の制御部から、記録素子アクセスインタフェース１３を介して行われる。
【００１８】
そして、本実施形態の記録情報管理システムにおいては、施錠端末２０は、施錠情報を施錠情報記憶部１４へ登録するためにのみ利用される施錠専用アクセスインタフェース１５を介して、施錠情報記憶部１４に対して電源供給するとともに、当該施錠情報記憶部１４に対する情報の読み書きを制御する記憶情報制御部１６へ直接接続し、施錠情報記憶部１４への施錠情報の書き込みを制御する。これにより、施錠端末２０は、記録装置１０において、施錠情報記憶部１４,施錠専用アクセスインタフェース１５，記憶情報制御部１６が正常であれば、記憶情報制御部１６に電源供給して、直接、施錠情報記憶部１４に対して、施錠情報を登録することができる。これにより、記録装置１０が記録素子アクセスインタフェース１３からの記録素子１１へのアクセスが不可となるような故障が発生したとしても、記録素子１１へのアクセス制限を行うことができる。
【００１９】
図３は記録情報管理システムの処理フローを示す第１の図である。
まず、図３を用いて記録装置１０の記録素子１１へのアクセス処理について説明する。
記録素子１１への通常のアクセス（情報の読み出し、情報の書き込み）は、記録素子アクセスインタフェース１３を介して行われる。記録素子アクセスインタフェース１３を介して、記録素子１１へのアクセス要求をデバイスコントローラ１２が入力すると（ステップＳ１０１）、アクセス可否判定部１２１は、施錠情報記憶部１４に記録されている情報を読み取る（ステップＳ１０２）。ここで施錠情報記憶部１４には記録素子１１へのアクセス不可を示す施錠情報または記録素子１１へのアクセス可を示す開錠情報の何れか一方のみが記録されている。この施錠情報または開錠情報は施錠端末２０の処理によって施錠情報記憶部１４に記録されたものである。アクセス可否判定部１２１は、施錠情報記憶部１４から読み取った情報が施錠情報であるかを判定し（ステップＳ１０３）、施錠情報である場合には、記録素子１１へのアクセスは不可である判定し（ステップＳ１０４）、開錠情報である場合にはアクセスは可であると判定する（ステップＳ１０５）。そして、デバイスコントローラ１２は、アクセス可否判定部１２１においてアクセス可と判定された場合には、記録素子アクセスインタフェース１３を介して入力したアクセス要求に基づいて、記録素子１１に記録されている情報を、記録素子アクセスインタフェース１３を介して外部へ出力する（ステップＳ１０６）。
【００２０】
図４は記録情報管理システムの処理フローを示す第２の図である。
次に、図４を用いて施錠端末２０の施錠時の処理フローについて説明する。
施錠時には、ユーザは施錠端末２０を施錠専用アクセスインタフェース１５へ専用ケーブルを用いて接続する。専用ケーブルにより施錠端末２０と記録装置１０が接続され施錠端末２０の電源がＯＮされると、電源供給部２２は施錠専用アクセスインタフェース１５を介して記憶情報制御部１６へ電源供給する。そして、ユーザは、パスワード入力部２５へパスワードを入力する（ステップＳ２０１）。このとき入力されたパスワードは表示部２６に表示される。そして、ユーザが施錠ボタン２３を押下すると（ステップＳ２０２）、当該施錠ボタンの押下を施錠処理部２１が検出し、施錠情報とパスワード情報とを施錠専用アクセスインタフェース１５を介して記憶情報制御部１６へ出力する（ステップＳ２０３）。すると記憶情報制御部１６は、電源供給部２２による電源供給に基づいて動作し、施錠情報記憶部１４に開錠情報が格納されている場合には当該開錠情報を削除して（ステップＳ２０４）、施錠処理部２１から入力した施錠情報とパスワード情報とを施錠情報記憶部１４へ書き込む（ステップＳ２０５）。これにより、記録素子アクセスインタフェース１３を介した記録素子１１へのアクセスが不可能となる。
【００２１】
図５は記録情報管理システムの処理フローを示す第３の図である。
次に、図５を用いて施錠端末２０の開錠時の処理フローについて説明する。
開錠時にも、施錠時と同様に、ユーザは施錠端末２０を施錠専用アクセスインタフェース１５へ専用ケーブルを用いて接続する。専用ケーブルにより施錠端末２０と記録装置１０が接続され施錠端末２０の電源がＯＮされると、電源供給部２２は施錠専用アクセスインタフェース１５を介して記憶情報制御部１６へ電源供給する。そして、ユーザは、パスワード入力部２５へパスワードを入力する（ステップＳ３０１）。このとき入力されたパスワードは表示部２６に表示される。そして、ユーザが開錠ボタン２４を押下すると（ステップＳ３０２）、当該開錠ボタンの押下を施錠処理部２１が検出し、パスワード情報の読み出し要求を記録装置１０の記憶情報制御部１６へ送信する（ステップＳ３０３）。すると記憶情報制御部１６はパスワード情報を施錠情報記憶部１４から読み取って、当該パスワード情報を施錠端末２０へ出力する（ステップＳ３０４）。次に、施錠端末２０では施錠処理部２１がパスワード情報を受信し、パスワード入力部２５から入力されたパスワードと比較する（ステップＳ３０５）。そして、施錠処理部２１はパスワードが一致すれば、開錠情報を施錠専用アクセスインタフェース１５を介して記憶情報制御部１６へ送信する（ステップＳ３０６）。すると記憶情報制御部１６は、施錠情報記憶部１４に施錠情報が格納されている場合には当該施錠情報を削除して（ステップＳ３０７）、施錠処理部２１から入力した開錠情報を施錠情報記憶部１４へ書き込む（ステップＳ３０８）。これにより、記録素子アクセスインタフェース１３を介した記録素子１１へのアクセスが可能となる。
【００２２】
以上の処理によれば、記録装置１０において、施錠情報記憶部１４,施錠専用アクセスインタフェース１５，記憶情報制御部１６が正常であれば、施錠端末２０により記憶情報制御部１６に電源供給され、当該施錠端末２０が直接、施錠情報記憶部１４に対して施錠情報を登録することができる。そして、この施錠情報が施錠情報記憶部１４に記録されている間は記録素子１１へのアクセスは不可能となる。これにより、記録装置１０に記録素子アクセスインタフェース１３からの記録素子１１へのアクセスが不可となるような故障が記録装置１０や当該記録装置１０が備えられた情報処理装置３０に発生したとしても、記録素子１１に記録された情報のセキュリティの設定を行うことができるようになる。
【００２３】
なお、上述の記録装置や施錠端末、情報処理装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００２４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２５】
１・・・記録情報管理システム
１０・・・記録装置
１１・・・記録素子
１２・・・デバイスコントローラ
１３・・・記録素子アクセスインタフェース
１４・・・施錠情報記憶部
１５・・・施錠専用アクセスインタフェース
１６・・・記憶情報制御部
２０・・・施錠端末
２１・・・施錠処理部
２２・・・電源供給部
【図１】
0005482226.tif 000002
【図２】
0005482226.tif 000003
【図３】
0005482226.tif 000004
【図４】
0005482226.tif 000005
【図５】
0005482226.tif 000006